(57)【要約】【課題】空間分割多元接続の技術と周波数分割多元接続の技術とを無線ＬＡＮに適用すること。【解決手段】基地局装置は、複数のデータが周波数分割多重されるペイロード部を含む空間時間ストリームと、空間分割多重される複数の空間時間ストリームのペイロード部のデータの宛先の受信装置を示す情報を含むヘッダ部と、を含むフレームを無線により送信する送信部を備え、端末装置は、基地局装置から無線により送信されたフレームを受信し、該受信したフレームのヘッダ部に含まれる情報に基づいて、該受信したフレームのペイロード部からデータを取得する受信部を備える。【選択図】図１
2017092541.tif 000002
【特許請求の範囲】
【請求項１】
複数のデータが周波数分割多重されるペイロード部を含む空間時間ストリームと、空間分割多重される複数の前記空間時間ストリームの前記ペイロード部の前記データの宛先の受信装置を示す情報を含むヘッダ部と、を含むフレームを無線により送信する送信部を備える送信装置。
【請求項２】
前記ヘッダ部に含まれる前記情報は、前記空間分割多重される複数の前記空間時間ストリームの前記ペイロード部の前記データの宛先の受信装置を個別に示す情報を配列形式で含む、
請求項１に記載の送信装置。
【請求項３】
前記ヘッダ部に含まれる前記情報は、前記空間分割多重される複数の前記空間時間ストリームの前記ペイロード部の前記データの宛先の受信装置のグループの組合せを示す識別情報を含む、
請求項１に記載の送信装置。
【請求項４】
前記送信部は、受信装置に対して、該受信装置に該当する前記識別情報と、該識別情報に該当する前記空間分割多重についての情報及び前記周波数分割多重についての情報と、を通知する管理フレームを無線により送信する請求項３に記載の送信装置。
【請求項５】
前記ヘッダ部は、前記ペイロード部の周波数分割多重における受信装置宛てのデータの配置のパターンを示す識別情報をさらに含む請求項３又は４に記載の送信装置。
【請求項６】
前記ヘッダ部に含まれる前記情報を生成する情報生成部をさらに備える請求項１から５のいずれか１項に記載の送信装置。
【請求項７】
請求項１から３のいずれか１項に記載の送信装置から無線により送信されたフレームを受信し、該受信した前記フレームのヘッダ部に含まれる情報に基づいて、該受信した前記フレームのペイロード部からデータを取得する受信部、
を備える受信装置。
【請求項８】
請求項４に記載の送信装置から無線により送信されたフレームを受信する受信部と、
前記受信部が受信した前記フレームのうち管理フレームで通知される、識別情報と該識別情報に該当する空間分割多重についての情報及び周波数分割多重についての情報と、を管理する管理部と、を備え、
前記受信部は、受信した前記フレームのヘッダ部に含まれる識別情報と前記管理部が管理する情報とに基づいて、該受信した前記フレームのペイロード部からデータを取得する、
受信装置。
【請求項９】
請求項１から３のいずれか１項に記載の送信装置を備える基地局装置と、
請求項７に記載の受信装置を備える端末装置と、
を備える無線通信システム。
【請求項１０】
請求項４に記載の送信装置を備える基地局装置と、
請求項８に記載の受信装置を備える端末装置と、
を備える無線通信システム。
【請求項１１】
送信装置が、複数のデータが周波数分割多重されるペイロード部を含む空間時間ストリームと、空間分割多重される複数の前記空間時間ストリームの前記ペイロード部の前記データの宛先の受信装置を示す情報を含むヘッダ部と、を含むフレームを無線により送信する送信ステップを含む、
無線通信方法。
【請求項１２】
送信装置のコンピュータに、
複数のデータが周波数分割多重されるペイロード部を含む空間時間ストリームと、空間分割多重される複数の前記空間時間ストリームの前記ペイロード部の前記データの宛先の受信装置を示す情報を含むヘッダ部と、を含むフレームを無線により送信する送信ステップ、
を実行させるためのコンピュータプログラム。
【発明の詳細な説明】
【技術分野】
【０００１】
本発明は、送信装置、受信装置、無線通信システム、無線通信方法、及び、コンピュータプログラムに関する。
【背景技術】
【０００２】
従来の無線通信技術として、例えば特許文献１に記載される技術が知られている。特許文献１の従来技術では、ＩＥＥＥ８０２．１１ａｃ方式の無線ＬＡＮ（Local Area Network）の通信規格に規定される送信方法に関し、フレームのプリアンブルがＶＨＴ−ＳＩＧ−Ａフィールドを備え、ＶＨＴ−ＳＩＧ−Ａフィールドがグループ識別子（ID）サブフィールドと空間時間ストリーム（STS）サブフィールドを備える。特許文献１の従来技術は、空間分割多元接続（Spatial Division Multiple Access：ＳＤＭＡ）の技術により複数の端末宛てに同じタイミングでデータを送信している。
【先行技術文献】
【特許文献】
【０００３】
【特許文献１】特表２０１３−５３７７４６号公報
【発明の概要】
【発明が解決しようとする課題】
【０００４】
しかし、上述した特許文献１の従来技術では、無線ＬＡＮにおいて、ＳＤＭＡの技術に加えてさらに直交周波数分割多元接続（Orthogonal Frequency Division Multiple Access：ＯＦＤＭＡ）の技術を適用することは開示されていなかった。
【０００５】
本発明は、このような事情を考慮してなされたものであり、空間分割多元接続の技術と周波数分割多元接続の技術とを無線ＬＡＮに適用することができる送信装置、受信装置、無線通信システム、無線通信方法、及び、コンピュータプログラムを提供することを課題とする。
【課題を解決するための手段】
【０００６】
（１）本発明の一態様は、複数のデータが周波数分割多重されるペイロード部を含む空間時間ストリームと、空間分割多重される複数の前記空間時間ストリームの前記ペイロード部の前記データの宛先の受信装置を示す情報を含むヘッダ部と、を含むフレームを無線により送信する送信部を備える送信装置である。
（２）本発明の一態様は、上記（１）の送信装置において、前記ヘッダ部に含まれる前記情報は、前記空間分割多重される複数の前記空間時間ストリームの前記ペイロード部の前記データの宛先の受信装置を個別に示す情報を配列形式で含む、送信装置である。
（３）本発明の一態様は、上記（１）の送信装置において、前記ヘッダ部に含まれる前記情報は、前記空間分割多重される複数の前記空間時間ストリームの前記ペイロード部の前記データの宛先の受信装置のグループの組合せを示す識別情報を含む、送信装置である。
（４）本発明の一態様は、上記（３）の送信装置において、前記送信部は、受信装置に対して、該受信装置に該当する前記識別情報と、該識別情報に該当する前記空間分割多重についての情報及び前記周波数分割多重についての情報と、を通知する管理フレームを無線により送信する送信装置である。
（５）本発明の一態様は、上記（３）又は（４）の送信装置において、前記ヘッダ部は、前記ペイロード部の周波数分割多重における受信装置宛てのデータの配置のパターンを示す識別情報をさらに含む送信装置である。
（６）本発明の一態様は、上記（１）から（５）のいずれかの送信装置において、前記ヘッダ部に含まれる前記情報を生成する情報生成部をさらに備える送信装置である。
【０００７】
（７）本発明の一態様は、上記（１）から（３）のいずれかの送信装置から無線により送信されたフレームを受信し、該受信した前記フレームのヘッダ部に含まれる情報に基づいて、該受信した前記フレームのペイロード部からデータを取得する受信部、を備える受信装置である。
【０００８】
（８）本発明の一態様は、上記（４）の送信装置から無線により送信されたフレームを受信する受信部と、前記受信部が受信した前記フレームのうち管理フレームで通知される、識別情報と該識別情報に該当する空間分割多重についての情報及び周波数分割多重についての情報と、を管理する管理部と、を備え、前記受信部は、受信した前記フレームのヘッダ部に含まれる識別情報と前記管理部が管理する情報とに基づいて、該受信した前記フレームのペイロード部からデータを取得する、受信装置である。
【０００９】
（９）本発明の一態様は、上記（１）から（３）のいずれかの送信装置を備える基地局装置と、上記（７）の受信装置を備える端末装置と、を備える無線通信システムである。
【００１０】
（１０）本発明の一態様は、上記（４）の送信装置を備える基地局装置と、上記（８）の受信装置を備える端末装置と、を備える無線通信システムである。
【００１１】
（１１）本発明の一態様は、送信装置が、複数のデータが周波数分割多重されるペイロード部を含む空間時間ストリームと、空間分割多重される複数の前記空間時間ストリームの前記ペイロード部の前記データの宛先の受信装置を示す情報を含むヘッダ部と、を含むフレームを無線により送信する送信ステップを含む、無線通信方法である。
【００１２】
（１２）本発明の一態様は、送信装置のコンピュータに、複数のデータが周波数分割多重されるペイロード部を含む空間時間ストリームと、空間分割多重される複数の前記空間時間ストリームの前記ペイロード部の前記データの宛先の受信装置を示す情報を含むヘッダ部と、を含むフレームを無線により送信する送信ステップ、を実行させるためのコンピュータプログラムである。
【発明の効果】
【００１３】
本発明によれば、空間分割多元接続の技術と周波数分割多元接続の技術とを無線ＬＡＮに適用することができるという効果が得られる。
【図面の簡単な説明】
【００１４】
【図１】本発明の一実施形態に係る無線ＬＡＮシステム１の構成例を示す説明図である。
【図２】本発明の一実施形態に係る送信装置１０を示す構成図である。
【図３】本発明の一実施形態に係る受信装置５０を示す構成図である。
【図４】本発明の一実施形態のフレーム構成例１を示す説明図である。
【図５】本発明の一実施形態のフレーム構成例１−ａを示す説明図である。
【図６】本発明の一実施形態のフレーム構成例１−ｂを示す説明図である。
【図７】本発明の一実施形態のフレーム構成例２を示す説明図である。
【図８】本発明の一実施形態のＭＡパターンＩＤ管理テーブルＡＰ＿ＴＢＬの構成例を示す図である。
【図９】本発明の一実施形態のＭＡ−ＳＧ管理テーブルＴＢＬ３の構成例を示す図である。
【図１０】本発明の一実施形態のＭＡパターンＩＤ管理フレーム２１０の構成例を示す図である。
【図１１】本発明の一実施形態のＭＡパターンＩＤ管理テーブルＳＴＡ＿ＴＢＬの構成例を示す図である。
【図１２】本発明の一実施形態のフレーム構成例２−ａを示す説明図である。
【図１３】本発明の一実施形態のフレーム構成例２−ｂを示す説明図である。
【図１４】本発明の一実施形態のフレーム構成例２−ｃを示す説明図である。
【図１５】本発明の一実施形態のＲＵ−ｏｒｄｅｒパターンＩＤ管理テーブルＴＢＬ１０の構成例を示す図である。
【図１６】本発明の一実施形態のフレーム構成例２−ｄを示す説明図である。
【発明を実施するための形態】
【００１５】
以下、図面を参照し、本発明の実施形態について説明する。
図１は、本発明の一実施形態に係る無線ＬＡＮシステム１の構成例を示す説明図である。図１に示す無線ＬＡＮシステム１は、１つの基地局装置２と複数の端末装置（Station：ＳＴＡ）３ａ〜３ｋを備える。以下の説明において、端末装置３ａ〜３ｋを特に区別しないときは「端末装置３」と称する。基地局装置２は、無線ＬＡＮのアクセスポイント（Access Point：ＡＰ）として機能する。基地局装置２の無線ＬＡＮエリア（電波到達範囲）内に存在する端末装置３は、基地局装置２を経由して、インターネット等の他の通信ネットワーク（図示せず）に接続したり、又は同じ無線ＬＡＮエリア内に存在する他の端末装置３と通信したりすることができる。
【００１６】
無線ＬＡＮシステム１は、ＳＤＭＡ（空間分割多元接続）の技術とＯＦＤＭＡ（直交周波数分割多元接続）の技術とを使用する。図１の例では、基地局装置２は、８個の空間時間ストリーム（Space-Time Stream：ＳＴＳ）を使用してＳＤＭＡを行う。８個の空間時間ストリームＳＴＳ１〜８のうち、３個の空間時間ストリームＳＴＳ１〜３は、ＳＴＡグループＧ１に属する４台の端末装置３ａ〜３ｄとの通信に使用される。２個の空間時間ストリームＳＴＳ４〜５は、ＳＴＡグループＧ２に属する２台の端末装置３ｅ〜３ｆとの通信に使用される。３個の空間時間ストリームＳＴＳ６〜７は、ＳＴＡグループＧ３に属する３台の端末装置３ｇ〜３ｉとの通信に使用される。１個の空間時間ストリームＳＴＳ８は、ＳＴＡグループＧ４に属する２台の端末装置３ｊ〜３ｋとの通信に使用される。
【００１７】
基地局装置２は、さらに、各ＳＴＡグループＧ１〜Ｇ４に使用される空間時間ストリームにおいて、直交周波数分割多重（Orthogonal Frequency Division Multiplexing：ＯＦＤＭ）を行う。ＳＴＡグループＧ１に使用される空間時間ストリームＳＴＳ１〜３は、周波数帯域が４個のリソースユニット（Resource Unit：ＲＵ）に周波数分割され、各ＲＵが各端末装置３ａ〜３ｄとの通信に使用される。ＳＴＡグループＧ２に使用される空間時間ストリームＳＴＳ４〜５は、周波数帯域が２個のＲＵに周波数分割され、各ＲＵが各端末装置３ｅ〜３ｆとの通信に使用される。ＳＴＡグループＧ３に使用される空間時間ストリームＳＴＳ６〜７は、周波数帯域が３個のＲＵに周波数分割され、各ＲＵが各端末装置３ｇ〜３ｉとの通信に使用される。ＳＴＡグループＧ４に使用される空間時間ストリームＳＴＳ８は、周波数帯域が２個のＲＵに周波数分割され、各ＲＵが各端末装置３ｊ〜３ｋとの通信に使用される。
【００１８】
図１の構成例によれば、基地局装置２は、空間分割多重（Space Division Multiplexing：ＳＤＭ）と直交周波数分割多重（ＯＦＤＭ）とにより、８台の端末装置３ａ〜３ｋとの間で、同じタイミングで通信を行うことができる。
【００１９】
図２は、本発明の一実施形態に係る送信装置１０を示す構成図である。図３は、本発明の一実施形態に係る受信装置５０を示す構成図である。図１に示す基地局装置２は、図２に示す送信装置１０を備える。図１に示す端末装置３は、図３に示す受信装置５０を備える。無線ＬＡＮシステム１において、基地局装置２の送信装置１０と端末装置３の受信装置５０は、下り方向（基地局装置２から端末装置３への方向）の無線通信を行う。なお、基地局装置２は、上り方向（端末装置３から基地局装置２への方向）の無線通信を行う受信装置を備える。また、端末装置３は、上り方向の無線通信を行う送信装置を備える。
【００２０】
まず図２を参照して送信装置１０を説明する。図２に示す送信装置１０は、送信部１１と、制御部１２と、記憶部１３を備える。送信部１１は、バッファ・スイッチ（ＢＵＦ・ＳＷ）部２１と、ＳＴＳデータマッピング部２２−１〜４と、符号化変調部２３−１〜４と、空間マッピング部２４と、逆高速フーリエ変換（Inverse Fast Fourier Transform：ＩＦＦＴ）部２５−１〜Ｎと、ガードインターバル（Guard Interval：ＧＩ）・ヘッダ付加部２６−１〜Ｎと、無線周波数（Radio Frequency：ＲＦ）部２７−１〜Ｎと、アンテナ２８−１〜Ｎを備える。制御部１２は情報生成部３０を備える。
【００２１】
送信装置１０において、送信部１１は、無線ＬＡＮシステム１の無線通信で使用されるフレームの送信を行う。制御部１２は、送信装置１０における各種の制御を行う。なお、制御部１２は、送信装置１０を含めて基地局装置２における各種の制御を行うものであってもよい。記憶部１３は、各種のデータを記憶する。
【００２２】
送信部１１において、ＳＴＳデータマッピング部２２−１と符号化変調部２３−１は第１のＳＴＳセットに対応して設けられている。ＳＴＳデータマッピング部２２−２と符号化変調部２３−２は第２のＳＴＳセットに対応して設けられている。ＳＴＳデータマッピング部２２−３と符号化変調部２３−３は第３のＳＴＳセットに対応して設けられている。ＳＴＳデータマッピング部２２−４と符号化変調部２３−４は第４のＳＴＳセットに対応して設けられている。ＳＴＳセットは、空間時間ストリームの組である。例えば、図１の例では、空間時間ストリームＳＴＳ１〜３が第１のＳＴＳセットであり、空間時間ストリームＳＴＳ４〜５が第２のＳＴＳセットであり、空間時間ストリームＳＴＳ６〜７が第３のＳＴＳセットであり、空間時間ストリームＳＴＳ８が第４のＳＴＳセットである。なお、各ＳＴＳセットを構成する空間時間ストリームの組合せ及び空間時間ストリームの個数は、任意に設定することができる。また、本実施形態では、４個のＳＴＳセットを使用するが、ＳＴＳセットの個数は任意である。
【００２３】
ＩＦＦＴ部２５−１〜ＮとＧＩ・ヘッダ付加部２６−１〜ＮとＲＦ部２７−１〜Ｎは、Ｎ個のアンテナ２８−１〜Ｎの各々に対応して設けられている。例えば、ＩＦＦＴ部２５−１とＧＩ・ヘッダ付加部２６−１とＲＦ部２７−１は、アンテナ２８−１に対応して設けられている。図１の例では、Ｎは８であり、送信装置１０は、８個のアンテナ２８−１〜８を備える。８個のアンテナ２８−１〜８により、最大８個の空間時間ストリームＳＴＳ１〜８を各々別個のデータ系列として空間分割多重することができる。
【００２４】
以下の説明において、ＳＴＳデータマッピング部２２−１〜４を特に区別しないときは「ＳＴＳデータマッピング部２２」と称し、符号化変調部２３−１〜４を特に区別しないときは「符号化変調部２３」と称する。また、ＩＦＦＴ部２５−１〜Ｎを特に区別しないときは「ＩＦＦＴ部２５」と称し、ＧＩ・ヘッダ付加部２６−１〜Ｎを特に区別しないときは「ＧＩ・ヘッダ付加部２６」と称し、ＲＦ部２７−１〜Ｎを特に区別しないときは「ＲＦ部２７」と称し、アンテナ２８−１〜Ｎを特に区別しないときは「アンテナ２８」と称する。
【００２５】
ＢＵＦ・ＳＷ部２１は、送信予定の各端末装置３宛ての送信データパケットを受信し、受信した送信データパケットを一時的に格納する。ＢＵＦ・ＳＷ部２１は、格納した送信データパケットの情報を制御部１２に通知する。制御部１２は、ＢＵＦ・ＳＷ部２１から通知された送信データパケットの情報に基づいて、パケットサイズや送信時のデータレート、使用可能なＳＴＳセットなどを考慮し、ＢＵＦ・ＳＷ部２１に格納されている送信データパケットを振り分けるＳＴＳデータマッピング部２２を決定する。制御部１２は、決定した振り分け先のＳＴＳデータマッピング部２２をＢＵＦ・ＳＷ部２１へ通知する。ＢＵＦ・ＳＷ部２１は、制御部１２から通知された振り分け先のＳＴＳデータマッピング部２２へ、該当する送信データパケットを出力する。
【００２６】
ＳＴＳデータマッピング部２２は、ＢＵＦ・ＳＷ部２１から入力された送信データパケットを、制御部１２からの指示に基づいてＳＴＳセットのデータ列にマッピングし、マッピング後のデータ列を符号化変調部２３へ出力する。符号化変調部２３は、ＳＴＳデータマッピング部２２から入力されたデータ列を、制御部１２から指示される符号化レートと変調レートで１次変調を行う。符号化変調部２３は、１次変調後のデータ列を空間マッピング部２４へ出力する。空間マッピング部２４は、符号化変調部２３から入力されたデータ列を、制御部１２からの指示に基づいて空間時間ストリームにマッピングする。空間マッピング部２４は、マッピング後の空間時間ストリームのデータ列を該当するＩＦＦＴ部２５へ出力する。
【００２７】
ＩＦＦＴ部２５は、空間マッピング部２４から入力されたデータ列に対して逆離散フーリエ変換を行う。空間マッピング部２４からＩＦＦＴ部２５に入力されたデータ列は、逆離散フーリエ変換により周波数軸のデータ列から時間軸のデータへ変換（２次変調）される。ＩＦＦＴ部２５は、２次変調後のデータ列をＧＩ・ヘッダ付加部２６へ出力する。ＧＩ・ヘッダ付加部２６は、ＩＦＦＴ部２５から入力されたデータ列に対して、フレームのヘッダ部のデータと、前後のデータとの干渉を緩和するためのインターバルであるＧＩ（Guard Interval）とを付加する。ＧＩ・ヘッダ付加部２６は、フレームのヘッダ部のデータとＧＩを付加後のデータ列をＲＦ部２７へ出力する。ＲＦ部２７は、ＧＩ・ヘッダ付加部２６から入力されたデータ列をＲＦ帯域の無線信号に変換してアンテナ２８へ出力する。これにより、アンテナ２８から無線信号が送信される。制御部１２の情報生成部３０は、フレームのヘッダ部のデータを生成する。制御部１２は、情報生成部３０が生成したフレームのヘッダ部のデータをＧＩ・ヘッダ付加部２６へ出力する。
【００２８】
次に図３を参照して受信装置５０を説明する。図３に示す受信装置５０は、受信部５１と、制御部５２と、記憶部５３を備える。制御部５２は管理部５４を備える。受信装置５０において、受信部５１は、無線ＬＡＮシステム１の無線通信で使用されるフレームの受信を行う。制御部５２は、受信装置５０における各種の制御を行う。なお、制御部５２は、受信装置５０を含めて端末装置３における各種の制御を行うものであってもよい。記憶部５３は、各種のデータを記憶する。
【００２９】
受信部５１は、送信装置１０から無線により送信されたフレームを受信し、該受信したフレームのペイロード部からデータを取得する。管理部５４は、無線ＬＡＮシステム１の無線通信における各種のデータの管理を行う。
【００３０】
なお、送信データパケット及び受信データパケットは、例えば各々の無線通信方式に規定されるデータフレームの形式によって格納されたＩＰ（Internet Protocol）パケットである。
【００３１】
次に本実施形態の送信装置１０が無線により送信するフレームの構成例を説明する。
【００３２】
［フレーム構成例１］
図４は、本実施形態のフレーム構成例１を示す説明図である。図４に示すフレーム１００は、プリアンブル部と、ＳＴＳマップ配列フィールド部と、タイミング同期用フィールド部と、ペイロード部を備える。プリアンブル部とＳＴＳマップ配列フィールド部とタイミング同期用フィールド部は、フレーム１００のヘッダ部に含まれる。プリアンブル部は、無線ＬＡＮシステム１で規定された既知の信号パターンの信号を含む。受信装置５０は、プリアンブル部によってフレーム１００を検出し受信する。ＳＴＳマップ配列フィールド部は宛先情報１１０を含む。
【００３３】
プリアンブル部とＳＴＳマップ配列フィールド部は、送信装置１０のアンテナ２８から無指向で送信されてもよい。例えば、図１の例では、プリアンブル部とＳＴＳマップ配列フィールド部は、無指向で送信されることにより、ＳＴＡグループＧ１〜Ｇ４の各端末装置３ａ〜３ｋで受信される。
【００３４】
タイミング同期用フィールド部とペイロード部は、複数のＳＴＳセットを有する。本フレーム構成例１では、タイミング同期用フィールド部とペイロード部は、４個のＳＴＳセット［０］〜［３］を有する。各ＳＴＳセット［０］〜［３］は、送信装置１０のアンテナ２８から、それぞれ指向性を持って送信される。例えば、図１の例では、空間時間ストリームＳＴＳ１〜３から成るＳＴＳセット［０］は、ＳＴＡグループＧ１の方向に指向性を持って送信される。これにより、該ＳＴＳセット［０］は、ＳＴＡグループＧ１の各端末装置３ａ〜３ｄで受信される。空間時間ストリームＳＴＳ４〜５から成るＳＴＳセット［１］は、ＳＴＡグループＧ２の方向に指向性を持って送信される。これにより、該ＳＴＳセット［１］は、ＳＴＡグループＧ２の各端末装置３ｅ〜３ｆで受信される。空間時間ストリームＳＴＳ６〜７から成るＳＴＳセット［２］は、ＳＴＡグループＧ３の方向に指向性を持って送信される。これにより、該ＳＴＳセット［２］は、ＳＴＡグループＧ３の各端末装置３ｇ〜３ｉで受信される。空間時間ストリームＳＴＳ８から成るＳＴＳセット［３］は、ＳＴＡグループＧ４の方向に指向性を持って送信される。これにより、該ＳＴＳセット［３］は、ＳＴＡグループＧ４の各端末装置３ｊ〜３ｋで受信される。
【００３５】
タイミング同期用フィールド部は、ＳＴＳセットの同期を取るための既知の信号パターンの信号を含む。受信装置５０は、タイミング同期用フィールド部によってＳＴＳセットのペイロード部を検出し受信することができる。ペイロード部は、複数のデータが周波数分割多重される。本フレーム構成例１では、１個のＳＴＳセットにおいて、ペイロード部は、周波数帯域が４個のＲＵに周波数分割され、各ＲＵがデータを格納する。ＳＴＳセット［０］のペイロード部は、４個のＲＵとしてＲＵ［０］［０］，ＲＵ［０］［１］，ＲＵ［０］［２］，ＲＵ［０］［３］を有する。ＳＴＳセット［１］のペイロード部は、４個のＲＵとしてＲＵ［１］［０］，ＲＵ［１］［１］，ＲＵ［１］［２］，ＲＵ［１］［３］を有する。ＳＴＳセット［２］のペイロード部は、４個のＲＵとしてＲＵ［２］［０］，ＲＵ［２］［１］，ＲＵ［２］［２］，ＲＵ［２］［３］を有する。ＳＴＳセット［３］のペイロード部は、４個のＲＵとしてＲＵ［３］［０］，ＲＵ［３］［１］，ＲＵ［３］［２］，ＲＵ［３］［３］を有する。
【００３６】
ＳＴＳマップ配列フィールド部に含まれる宛先情報１１０を説明する。宛先情報１１０は、フレーム１００において空間分割多重される複数の空間時間ストリームのペイロード部に周波数分割多重されるデータの宛先の受信装置５０を示す。本フレーム構成例１では、宛先情報１１０は、フレーム１００において空間分割多重される４個のＳＴＳセット［０］〜［３］のペイロード部に周波数分割多重されるデータの宛先の受信装置５０を示す。
【００３７】
宛先情報１１０は、複数の空間時間ストリームの空間分割多重についての情報と、ペイロード部の周波数分割多重についての情報とを配列形式で含む。本フレーム構成例１では、図４に示されるように、宛先情報１１０は、４行４列の配列形式で構成される。図４に示す宛先情報１１０において、各行は各ＳＴＳセットに対応し、各列は各ＲＵに対応する。図４に示す宛先情報１１０において、第Ｘ行第Ｙ列は、ＳＴＳセット［Ｘ］のＲＵ［Ｘ］［Ｙ］に格納されるデータの宛先の受信装置５０の識別子（受信機ＩＤ［Ｘ］［Ｙ］）を格納する。例えば、図４に示す宛先情報１１０において、第１行第２列は、ＳＴＳセット［１］のＲＵ［１］［２］に格納されるデータの宛先の受信装置５０の識別子（受信機ＩＤ［１］［２］）を格納する。
【００３８】
受信装置５０は、自己の識別子（受信機ＩＤ）とＳＴＳマップ配列フィールド部に含まれる宛先情報１１０に基づいて、自己宛てのデータが格納されているＳＴＳセットとＲＵを認識する。受信装置５０は、宛先情報１１０に自己の受信機ＩＤが含まれている場合に、該宛先情報１１０において自己の受信機ＩＤが格納されている場所のインデックス［Ｘ］［Ｙ］に基づいて、自己宛てのデータが格納されているＳＴＳセット［Ｘ］のＲＵ［Ｘ］［Ｙ］からデータを取得する。
以上がフレーム構成例１の説明である。
【００３９】
［フレーム構成例１−ａ］
図５は、本実施形態のフレーム構成例１−ａを示す説明図である。フレーム構成例１−ａは、上述したフレーム構成例１の変形例である。図４に示すフレーム１００ａは、図４に示すフレーム１００と同様の構成である。但し、フレーム１００ａのＳＴＳマップ配列フィールド部は情報１１０ａを含む。情報１１０ａは、図４に示す宛先情報１１０に対してさらにＮＳＴＳ列とＮＳＴＡ列が追加された配列形式の情報である。
【００４０】
ＮＳＴＳ列は、各ＳＴＳセット［０］〜［３］を構成する空間時間ストリームの個数ＮＳＴＳ［０］〜［３］を、各ＳＴＳセット［０］〜［３］に対応する行に格納する。ＮＳＴＳ列の第Ｘ行は、ＳＴＳセット［Ｘ］を構成する空間時間ストリームの個数ＮＳＴＳ［Ｘ］を格納する。例えば、ＮＳＴＳ列の第１行は、ＳＴＳセット［１］を構成する空間時間ストリームの個数ＮＳＴＳ［１］を格納する。
【００４１】
本フレーム構成例１−ａによれば、ＮＳＴＳ列によって、受信装置５０に対し、各ＳＴＳセット［０］〜［３］を構成する空間時間ストリームの個数ＮＳＴＳ［０］〜［３］を通知することができる。これにより、各ＳＴＳセット［０］〜［３］を構成する空間時間ストリームの個数ＮＳＴＳ［０］〜［３］を可変にすることができる。
【００４２】
ＮＳＴＡ列は、各ＳＴＳセット［０］〜［３］に収容する受信装置５０の台数ＮＳＴＡ［０］〜［３］を、各ＳＴＳセット［０］〜［３］に対応する行に格納する。ＮＳＴＡ列の第Ｘ行は、ＳＴＳセット［Ｘ］に収容する受信装置５０の台数ＮＳＴＡ［Ｘ］を格納する。例えば、ＮＳＴＡ列の第１行は、ＳＴＳセット［１］に収容する受信装置５０の台数ＮＳＴＡ［１］を格納する。
【００４３】
本フレーム構成例１−ａによれば、ＮＳＴＡ列によって、受信装置５０に対し、各ＳＴＳセット［０］〜［３］に収容する受信装置５０の台数ＮＳＴＡ［０］〜［３］を通知することができる。各ＳＴＳセット［０］〜［３］に収容する受信装置５０の台数ＮＳＴＡ［０］〜［３］は、各ＳＴＳセット［０］〜［３］のペイロード部が使用するＲＵの個数、つまり各ＳＴＳセット［０］〜［３］に収容する受信装置５０の受信機ＩＤを格納する列の個数に相当する。
【００４４】
なお、ＳＴＳマップ配列フィールド部の大きさを可変にする場合、ＳＴＳマップ配列フィールド部の大きさを示す情報を、例えばＳＴＳマップ配列フィールド部の先頭部分に含めるようにしてもよい。
【００４５】
また、情報１１０ａにおいて、ＮＳＴＡ列を備えずに、各ＳＴＳセット［０］〜［３］に対応する行に対し、各ＳＴＳセット［０］〜［３］に収容する受信装置５０の受信機ＩＤを格納する最後の列にデータの終了を示す識別子も格納することにより当該行の列の終わりを示してもよい。
以上がフレーム構成例１−ａの説明である。
【００４６】
［フレーム構成例１−ｂ］
図６は、本実施形態のフレーム構成例１−ｂを示す説明図である。フレーム構成例１−ｂは、上述したフレーム構成例１−ａの変形例である。図６に示すフレーム１００ｂでは、ＳＴＳマップ配列フィールド部に情報１１０ｂを含む。情報１１０ｂは、図５に示す情報１１０ａに対してさらに帯域ＩＤ列が追加された配列形式の情報である。
【００４７】
帯域ＩＤ列は、各ＳＴＳセット［０］〜［３］に使用される周波数帯域を示す識別子（帯域ＩＤ［０］〜［３］）を、各ＳＴＳセット［０］〜［３］に対応する行に格納する。帯域ＩＤ列の第Ｘ行は、ＳＴＳセット［Ｘ］に使用される周波数帯域を示す帯域ＩＤ［Ｘ］を格納する。例えば、帯域ＩＤ列の第１行は、ＳＴＳセット［１］に使用される周波数帯域を示す帯域ＩＤ［１］を格納する。また、空間時間ストリームによる空間・時間多重をしない周波数帯域を使用するＳＴＳセット［Ｘ］に対しては、該ＳＴＳセット［Ｘ］のＮＳＴＳ［Ｘ］として、空間時間ストリームによる空間・時間多重をしないことを示す値例えば「０」を使用する。
【００４８】
図６の例では、ＳＴＳセット［０］の周波数帯域Ａでは、空間時間ストリームによる空間・時間多重をしないので、ＮＳＴＳ［０］には、空間時間ストリームによる空間・時間多重をしないことを示す値「０」が使用される。一方、ＳＴＳセット［１］〜［３］の周波数帯域Ｂでは、空間時間ストリームによる空間・時間多重をするので、ＮＳＴＳ［１］〜［３］には、各ＳＴＳセット［０］〜［３］を構成する空間時間ストリームの個数の値を使用する。
【００４９】
本フレーム構成例１−ｂによれば、フレーム１００ｂに使用される周波数帯域として、空間時間ストリームによる空間・時間多重を行う周波数帯域と、空間時間ストリームによる空間・時間多重を行わない周波数帯域とを含めることができる。これにより、空間時間ストリームによる空間・時間多重に対応している受信装置宛てのデータと、空間時間ストリームによる空間・時間多重に対応していない受信装置宛てのデータとを、同じフレーム１００ｂに含めて送信することができる。
以上がフレーム構成例１−ｂの説明である。
【００５０】
［フレーム構成例２］
図７は、本実施形態のフレーム構成例２を示す説明図である。図７に示すフレーム２００は、プリアンブル部と、第１シグナルフィールド部と、第２シグナルフィールド部と、タイミング同期用フィールド部と、ペイロード部を備える。プリアンブル部と第１シグナルフィールド部と第２シグナルフィールド部とタイミング同期用フィールド部は、フレーム２００のヘッダ部に含まれる。プリアンブル部は、無線ＬＡＮシステム１で規定された既知の信号パターンの信号を含む。受信装置５０は、プリアンブル部によってフレーム２００を検出し受信する。
【００５１】
第１シグナルフィールド部は、帯域幅（ＢＷ）情報と、ＭＡ（Multi-Access）パターン識別子（ＭＡパターンＩＤ）と、ＮＳＴＳ［０］〜［３］を含む。第１シグナルフィールド部には、ＢＷ情報とＭＡパターンＩＤとＮＳＴＳ［０］〜［３］を格納する各サブフィールドが設けられる。ＢＷ情報は、フレーム２００に使用される周波数帯域幅を示す。ＭＡパターンＩＤは、各ＳＴＳセット［０］〜［３］に収容する受信装置５０の組合せを示す識別子である。ＮＳＴＳ［０］〜［３］は、ＳＴＳセット［０］〜［３］を構成する空間時間ストリームの個数を示す。ＮＳＴＳ［Ｘ］は、ＳＴＳセット［Ｘ］を構成する空間時間ストリームの個数である。
【００５２】
プリアンブル部と第１シグナルフィールド部は、送信装置１０のアンテナ２８から無指向で送信されてもよい。この点は、上述したフレーム構成例１のプリアンブル部とＳＴＳマップ配列フィールド部と同様である。
【００５３】
第２シグナルフィールド部とタイミング同期用フィールド部とペイロード部は、複数のＳＴＳセットを有する。本フレーム構成例２では、第２シグナルフィールド部とタイミング同期用フィールド部とペイロード部は、４個のＳＴＳセット［０］〜［３］を有する。各ＳＴＳセット［０］〜［３］は、送信装置１０のアンテナ２８から、それぞれ指向性を持って送信される。この点は上述したフレーム構成例１のＳＴＳセット［０］〜［３］と同様である。
【００５４】
第２シグナルフィールド部は、ペイロード部のＲＵに格納されているデータの変調方法等の情報を含む。タイミング同期用フィールド部は、ＳＴＳセットの同期を取るための既知の信号パターンの信号を含む。受信装置５０は、タイミング同期用フィールド部によってＳＴＳセットのペイロード部を検出し受信することができる。ペイロード部は、複数のデータが周波数分割多重される。本フレーム構成例２では、上述したフレーム構成例１と同様に、１個のＳＴＳセットにおいて、ペイロード部は、周波数帯域が４個のＲＵ［０］〜［３］に周波数分割され、各ＲＵ［０］〜［３］がデータを格納する。
【００５５】
次に、ＭＡパターンＩＤについて説明する。図８は、送信装置１０（ＡＰ）が備えるＭＡパターンＩＤ管理テーブルＡＰ＿ＴＢＬの構成例を示す図である。ＭＡパターンＩＤ管理テーブルＡＰ＿ＴＢＬは、図８（１）に例示されるＳＴＡグループ管理テーブルＴＢＬ１と、図８（２）に例示されるＮＳＴＳ管理テーブルＴＢＬ２とから構成される。ＭＡパターンＩＤ管理テーブルＡＰ＿ＴＢＬ（ＳＴＡグループ管理テーブルＴＢＬ１及びＮＳＴＳ管理テーブルＴＢＬ２）は、送信装置１０の記憶部１３に格納される。
【００５６】
ＳＴＡグループ管理テーブルＴＢＬ１は、ＭＡパターンＩＤ毎に、各ＳＴＳセット［０］〜［３］に該当する「Multi-Access STAグループ（MA-SG）」の識別子（MA-SG ID）を格納する。ＭＡ−ＳＧは、１個のＳＴＳセットに収容される受信装置５０のグループである。ＳＴＡグループ管理テーブルＴＢＬ１によって、ＭＡパターンＩＤ毎に、各ＳＴＳセット［０］〜［３］に周波数多重されるデータの宛先の受信装置５０のＭＡ−ＳＧが示される。
【００５７】
ＮＳＴＳ管理テーブルＴＢＬ２は、ＭＡパターンＩＤ毎に、各ＳＴＳセット［０］〜［３］を構成する空間時間ストリームの個数の値を格納する。ＮＳＴＳ管理テーブルＴＢＬ２によって、ＭＡパターンＩＤ毎に、各ＳＴＳセット［０］〜［３］に使用される空間時間ストリームの個数が示される。
【００５８】
図９は、送信装置１０が備えるＭＡ−ＳＧ管理テーブルＴＢＬ３の構成例を示す図である。ＭＡ−ＳＧ管理テーブルＴＢＬ３は、送信装置１０の記憶部１３に格納される。ＭＡ−ＳＧ管理テーブルＴＢＬ３は、ＭＡ−ＳＧの識別子（MA-SG ID）毎に、ＭＡ−ＳＧに属する受信装置５０を示す識別情報を格納する。ＭＡ−ＳＧ管理テーブルＴＢＬ３によって、ＭＡ−ＳＧの識別子（MA-SG ID）毎に、同じＳＴＳセットに周波数多重されるデータの宛先の受信装置５０（ＳＴＡ［０］〜［ｎ］）の識別情報が示される。図９の例では、送信装置１０と通信をする受信装置５０を配列形式で管理し、該配列のインデックスに受信装置５０である「ＳＴＡｘｙ」を割り当てて管理している。例えば、「MA-SG ID＝３」の場合、同じＳＴＳセットに周波数多重されるデータの宛先の受信装置５０のうち、インデックス０（ＳＴＡ［０］）には「ＳＴＡ４０」で示される受信装置５０を割り当てている。
【００５９】
送信装置１０の制御部１２は、ＭＡパターンＩＤ管理テーブルＡＰ＿ＴＢＬ（ＳＴＡグループ管理テーブルＴＢＬ１及びＮＳＴＳ管理テーブルＴＢＬ２）とＭＡ−ＳＧ管理テーブルＴＢＬ３を管理する。情報生成部３０は、ＭＡパターンＩＤ管理テーブルＡＰ＿ＴＢＬ（ＳＴＡグループ管理テーブルＴＢＬ１及びＮＳＴＳ管理テーブルＴＢＬ２）とＭＡ−ＳＧ管理テーブルＴＢＬ３に基づいて、フレーム２００の第１シグナルフィールド部に含めるＭＡパターンＩＤとＮＳＴＳ［０］〜［３］を生成する。
【００６０】
次に、図１０を参照してＭＡパターンＩＤ管理フレーム２１０を説明する。図１０は、ＭＡパターンＩＤ管理フレーム２１０の構成例を示す図である。送信装置１０は、受信装置５０に対して個別にＭＡパターンＩＤ管理フレーム２１０を送信する。ＭＡパターンＩＤ管理フレーム２１０は、受信装置５０に対して、該受信装置５０に該当するＭＡパターンＩＤと、該ＭＡパターンＩＤに該当するＳＴＡインデックス及びＭＡインデックスとを通知する管理フレームである。
【００６１】
ＭＡパターンＩＤ管理フレーム２１０は、フレームタイプＩＤ部と、メンバーシップステータス配列部と、ＳＴＡインデックス（STA Index）配列部と、ＭＡインデックス（MA Index）配列部を備える。ＭＡパターンＩＤ管理フレーム２１０のフレームタイプＩＤ部には、ＭＡパターンＩＤ管理フレームの識別子（ＩＤ）が格納される。ＭＡパターンＩＤ管理フレーム２１０は、例えば管理情報を通信するＭＡＣ（Media Access Control）フレームの形式で構成されてもよい。
【００６２】
メンバーシップステータス配列部は、全ＭＡパターンＩＤに各々対応するステータスを含む。ＭＡパターンＩＤの総個数は「ｍ＋１個」であるので、メンバーシップステータス配列部は、「ｍ＋１個」のＭＡパターンＩＤに各々対応する「ｍ＋１個」のステータス［０］〜［ｍ］を含む。ステータス［ｘ］は、「ＭＡパターンＩＤ＝ｘ」がＭＡパターンＩＤ管理フレーム２１０の宛先の受信装置５０に該当するか否かを示す。図１０の例では、「ＭＡパターンＩＤ＝ｘ」がＭＡパターンＩＤ管理フレーム２１０の宛先の受信装置５０に対して、該当する場合にはステータス［ｘ］が「１」であり、該当しない場合にはステータス［ｘ］が「０」である。
【００６３】
図１０には、ステータス［０］〜［ｍ］の具体例として、カッコ内に、図８のＭＡパターンＩＤ管理テーブルＡＰ＿ＴＢＬと図９のＭＡ−ＳＧ管理テーブルＴＢＬ３に基づいて、「ＳＴＡ０１」宛てに送信されるＭＡパターンＩＤ管理フレーム２１０のステータス［０］〜［ｍ］の値が示されている。図９のＭＡ−ＳＧ管理テーブルＴＢＬ３において、「ＳＴＡ０１」は「MA-SG ID＝０」と「MA-SG ID＝６」に属する。図８（１）のＳＴＡグループ管理テーブルＴＢＬ１において、「MA-SG ID＝０」は「ＭＡパターンＩＤ＝０，１，２」に属し、「MA-SG ID＝６」は「ＭＡパターンＩＤ＝５」に属する。よって、図１０に示されるように、ステータス［０］，［１］，［２］及び［５］は「１」であり、それ以外のステータスは「０」である。このＭＡパターンＩＤ管理フレーム２１０のステータス［０］〜［ｍ］によって、「ＳＴＡ０１」の受信装置５０は自己に該当する「ＭＡパターンＩＤ＝０，１，２，５」を認識する。
【００６４】
ＳＴＡインデックス配列部は、「ｍ＋１個」のＭＡパターンＩＤに各々対応する「ｍ＋１個」のＳＴＡインデックス［０］〜［ｍ］を含む。ＳＴＡインデックス［ｘ］は、メンバーシップステータス配列部のステータス［ｘ］が「１」である場合に、「ＭＡパターンＩＤ＝ｘ」に対応するＭＡ−ＳＧにおけるＳＴＡ番号を示す。
【００６５】
図１０には、ＳＴＡインデックス［０］〜［ｍ］の具体例として、カッコ内に、図８のＭＡパターンＩＤ管理テーブルＡＰ＿ＴＢＬと図９のＭＡ−ＳＧ管理テーブルＴＢＬ３に基づいて、「ＳＴＡ０１」宛てに送信されるＭＡパターンＩＤ管理フレーム２１０のＳＴＡインデックス［０］〜［ｍ］の値が示されている。図１０に示されるメンバーシップステータス配列部のステータス［０］〜［ｍ］の具体例において、「１」であるステータス［０］，［１］，［２］及び［５］が「１」である。そして、ステータス［０］，［１］及び［２］に該当する「ＭＡパターンＩＤ＝０，１，２」に対応するＭＡ−ＳＧ（MA-SG ID＝０）において、「ＳＴＡ０１」のＳＴＡ番号はＳＴＡ［１］である（図９参照）。また、ステータス［５］に該当する「ＭＡパターンＩＤ＝５」に対応するＭＡ−ＳＧ（MA-SG ID＝６）において、「ＳＴＡ０１」のＳＴＡ番号はＳＴＡ［０］である（図９参照）。よって、図１０に示されるように、ＳＴＡインデックス［０］，［１］及び［２］は「１」であり、ＳＴＡインデックス［５］は「０」である。このＭＡパターンＩＤ管理フレーム２１０のＳＴＡインデックス［０］，［１］，［２］及び［５］によって、「ＳＴＡ０１」の受信装置５０は自己に該当する「ＭＡパターンＩＤ＝０，１，２，５」に対応するＳＴＡインデックスを認識する。なお、「０」であるステータスに対応するＳＴＡインデックスは不定でよい。
【００６６】
ＭＡインデックス配列部は、「ｍ＋１個」のＭＡパターンＩＤに各々対応する「ｍ＋１個」のＭＡインデックス［０］〜［ｍ］を含む。ＭＡインデックス［ｘ］は、メンバーシップステータス配列部のステータス［ｘ］が「１」である場合に、「ＭＡパターンＩＤ＝ｘ」に対応するＮＳＴＳ配列の要素位置を示す。該ＮＳＴＳ配列は、図７のフレーム２００の第１シグナルフィールド部に含まれるＮＳＴＳ［０］〜［３］のことである。メンバーシップステータス配列部のステータス［ｘ］が「１」である場合においてＭＡインデックス［ｘ］が「ｙ」であるときには、「ＭＡパターンＩＤ＝ｘ」に対応するＮＳＴＳ配列の要素位置はＮＳＴＳ［ｙ］である。
【００６７】
図１０には、ＭＡインデックス［０］〜［ｍ］の具体例として、カッコ内に、図８のＭＡパターンＩＤ管理テーブルＡＰ＿ＴＢＬと図９のＭＡ−ＳＧ管理テーブルＴＢＬ３に基づいて、「ＳＴＡ０１」宛てに送信されるＭＡパターンＩＤ管理フレーム２１０のＭＡインデックス［０］〜［ｍ］の値が示されている。図１０に示されるメンバーシップステータス配列部のステータス［０］〜［ｍ］の具体例において、「１」であるステータス［０］，［１］，［２］及び［５］が「１」である。そして、ステータス［０］，［１］及び［２］に該当する「ＭＡパターンＩＤ＝０，１，２」に対応するＭＡ−ＳＧ（MA-SG ID＝０）のＳＴＳセットはＳＴＳセット［０］である（図８参照）。また、ステータス［５］に該当する「ＭＡパターンＩＤ＝５」に対応するＭＡ−ＳＧ（MA-SG ID＝６）のＳＴＳセットはＳＴＳセット［２］である（図８参照）。よって、図１０に示されるように、ＭＡインデックス［０］，［１］及び［２］は「０」であり、ＭＡインデックス［５］は「２」である。このＭＡパターンＩＤ管理フレーム２１０のＭＡインデックス［０］，［１］，［２］及び［５］によって、「ＳＴＡ０１」の受信装置５０は自己に該当する「ＭＡパターンＩＤ＝０，１，２，５」に対応するＭＡインデックスを認識する。なお、「０」であるステータスに対応するＭＡインデックスは不定でよい。
【００６８】
次に、図１１を参照して、受信装置５０（ＳＴＡ）のＭＡパターンＩＤ管理テーブルＳＴＡ＿ＴＢＬを説明する。図１１は、受信装置５０（ＳＴＡ）が備えるＭＡパターンＩＤ管理テーブルＳＴＡ＿ＴＢＬの構成例を示す図である。ＭＡパターンＩＤ管理テーブルＳＴＡ＿ＴＢＬは、受信装置５０の記憶部５３に格納される。
【００６９】
受信装置５０の管理部５４は、送信装置１０から受信したＭＡパターンＩＤ管理フレーム２１０に基づいて、ＭＡパターンＩＤ管理テーブルＳＴＡ＿ＴＢＬを作成する。図１１には、ＭＡパターンＩＤ管理テーブルＳＴＡ＿ＴＢＬの具体例として、「ＳＴＡ０１」の受信装置５０の管理部５４が作成したＭＡパターンＩＤ管理テーブルＳＴＡ＿ＴＢＬが示されている。このＭＡパターンＩＤ管理テーブルＳＴＡ＿ＴＢＬの具体例は、図１０に示されるＭＡパターンＩＤ管理フレーム２１０の具体例に対応している。よって、図１１のＭＡパターンＩＤ管理テーブルＳＴＡ＿ＴＢＬには、「ＳＴＡ０１」の受信装置５０に該当する「ＭＡパターンＩＤ＝０，１，２，５」に対し、「ＭＡパターンＩＤ＝０，１，２」に関するＳＴＡインデックス「１」及びＭＡインデックス「０」と、「ＭＡパターンＩＤ＝５」に関するＳＴＡインデックス「０」及びＭＡインデックス「２」とが格納されている。
【００７０】
受信装置５０において、受信部５１は、送信装置１０から受信したフレーム２００の第１シグナルフィールド部に含まれるＭＡパターンＩＤを管理部５４へ通知する。管理部５４は、受信部５１から通知されたＭＡパターンＩＤに関するＳＴＡインデックス及びＭＡインデックスをＭＡパターンＩＤ管理テーブルＳＴＡ＿ＴＢＬから取得し、取得したＳＴＡインデックス及びＭＡインデックスを受信部５１へ通知する。受信部５１は、管理部５４から通知されたＳＴＡインデックス及びＭＡインデックスに基づいて、該受信したフレーム２００のペイロード部から受信データパケットを取得する。
【００７１】
図１１には、「ＳＴＡ０１」の受信装置５０の動作の具体例が示されている。「ＳＴＡ０１」の受信装置５０の受信部５１は、送信装置１０から受信したフレーム２００の第１シグナルフィールド部に含まれるＭＡパターンＩＤ「１」を管理部５４へ通知する（ステップＳ１０１）。管理部５４は、受信部５１から通知されたＭＡパターンＩＤ「１」に関するＳＴＡインデックス「１」及びＭＡインデックス「０」をＭＡパターンＩＤ管理テーブルＳＴＡ＿ＴＢＬから取得し、取得したＳＴＡインデックス「１」及びＭＡインデックス「０」を受信部５１へ通知する。受信部５１は、管理部５４から通知されたＭＡインデックス「０」に対応する第１シグナルフィールド部内のＮＳＴＳ［０］を参照する（ステップＳ１０２）。このＮＳＴＳ［０］の値は「３」である（図８（２）参照）。つまり、「ＳＴＡ０１」の受信装置５０宛てのデータが含まれるＳＴＳセット［０］を構成する空間時間ストリームの個数は３個である。これにより、受信部５１は、自己宛てのデータが含まれるＳＴＳセット［０］を構成する空間時間ストリームの個数が３個であることを認識する。また、受信部５１は、管理部５４から通知されたＳＴＡインデックス「１」により、自己宛てのデータが格納されているＲＵ［１］を認識する。受信部５１は、ＳＴＳセット［０］を構成する３個の空間時間ストリームについてのＲＵ［１］に格納されているデータを復号する（ステップＳ１０３）。受信部５１は、該復号の結果として受信データパケットを取得する。
【００７２】
上述したフレーム構成例１，１−ａ，１−ｂでは、配列形式の情報１１０，１１０ａ，１１０ｂを使用して受信機ＩＤをＳＴＳマップ配列フィールド部に含めたが、この方法ではフレームのヘッダ部のサイズが大きくなる。本フレーム構成例２によれば、ＭＡパターンＩＤを使用することにより、フレームのヘッダ部のサイズの拡大を抑制することができる。
【００７３】
また、送信装置１０は、ＭＡパターンＩＤ管理フレーム２１０によって、受信装置５０に対して、該受信装置５０に該当するＭＡパターンＩＤと、該ＭＡパターンＩＤに該当するＳＴＡインデックス及びＭＡインデックスとを通知することができる。これにより、受信装置５０は、ＭＡパターンＩＤ管理テーブルＳＴＡ＿ＴＢＬを作成して保持することができる。なお、受信装置５０に対して、予めＭＡパターンＩＤ管理テーブルＳＴＡ＿ＴＢＬを設定し保持させてもよい。
【００７４】
なお、ＭＡパターンＩＤ等の管理データは、フレームのヘッダ部に含めることが許容されるデータ量に応じて最大可能数を決定してもよい。
以上がフレーム構成例２の説明である。
【００７５】
［フレーム構成例２−ａ］
図１２は、本実施形態のフレーム構成例２−ａを示す説明図である。フレーム構成例２−ａは、上述したフレーム構成例２の変形例である。図１２に示すフレーム２００ａは、図７に示すフレーム２００と同様の構成である。但し、フレーム２００ａの第１シグナルフィールド部は、サブ帯域（ＳＢＷ）毎にＭＡパターンＩＤとＮＳＴＳを含む。具体的には、フレーム２００ａの第１シグナルフィールド部は、ＳＴＳセット［０］〜［３］に対応するＳＢＷ情報［０］〜［３］とＮＳＴＳ［０］〜［３］とＭＡパターンＩＤ［０］〜［３］を含む。ＳＴＳセット［ｘ］には、ＳＢＷ情報［ｘ］とＮＳＴＳ［ｘ］とＭＡパターンＩＤ［ｘ］が対応する。
【００７６】
本フレーム構成例２−ａによれば、上述したフレーム構成例１−ｂと同様に、フレーム２００ａに使用される周波数帯域として、空間時間ストリームによる空間・時間多重を行う周波数帯域と、空間時間ストリームによる空間・時間多重を行わない周波数帯域とを含めることができる。
以上がフレーム構成例２−ａの説明である。
【００７７】
［フレーム構成例２−ｂ］
図１３は、本実施形態のフレーム構成例２−ｂを示す説明図である。フレーム構成例２−ｂは、上述したフレーム構成例２の変形例である。図１３に示すフレーム２００ｂは、図７に示すフレーム２００と同様の構成である。但し、フレーム２００ｂの第２シグナルフィールド部は、「RU BW配列」を含む。ＳＴＳセット［ｘ］の第２シグナルフィールド部内の「RU BW配列」は、ＳＴＳセット［ｘ］のペイロード部のＲＵ［０］〜［３］の帯域幅を示す帯域幅情報「RU BW［０］〜［３］」を有する。帯域幅情報「RU BW［ｘ］」がＲＵ［ｘ］の帯域幅を示す。
【００７８】
受信装置５０の管理部５４は、フレーム２００ｂの第１シグナルフィールド部内のＭＡパターンＩＤに関するＭＡパターンＩＤ管理テーブルＳＴＡ＿ＴＢＬ内のＳＴＡインデックス「ｘ」で示される帯域幅情報「RU BW［ｘ］」を参照し、自受信装置５０宛てのデータが格納されているＲＵ［ｘ］の帯域幅を認識する。これにより、各ＳＴＳセット［０］〜［３］における周波数帯域のＲＵ分割の仕方を可変にすることができる。
以上がフレーム構成例２−ｂの説明である。
【００７９】
［フレーム構成例２−ｃ］
図１４は、本実施形態のフレーム構成例２−ｃを示す説明図である。フレーム構成例２−ｃは、上述したフレーム構成例２の変形例である。図１４に示すフレーム２００ｃは、図７に示すフレーム２００と同様の構成である。但し、フレーム２００ｃの第１シグナルフィールド部は、図７に示す第１シグナルフィールド部の情報に加えてさらに「RU orderパターン配列」を含む。「RU orderパターン配列」は、ＳＴＳセット［０］〜［３］に対応する「RU orderパターンＩＤ［０］〜［３］」を含む。ＳＴＳセット［ｘ］には、「RU orderパターンＩＤ［ｘ］」が対応する。
【００８０】
図１５は、ＲＵ−ｏｒｄｅｒパターンＩＤ管理テーブルＴＢＬ１０の構成例を示す図である。ＲＵ−ｏｒｄｅｒパターンＩＤ管理テーブルＴＢＬ１０は、送信装置１０と受信装置５０の間で予め共有される。送信装置１０は、ＲＵ−ｏｒｄｅｒパターンＩＤ管理テーブルＴＢＬ１０を記憶部１３に格納する。受信装置５０は、ＲＵ−ｏｒｄｅｒパターンＩＤ管理テーブルＴＢＬ１０を記憶部５３に格納する。ＲＵ−ｏｒｄｅｒパターンＩＤ管理テーブルＴＢＬ１０は、「RU orderパターンＩＤ」毎に、「RU orderパターンＩＤ」における各ＳＴＡインデックスに対応するＲＵ［０］〜［３］を示す。
【００８１】
図１４には、具体例として、カッコ内に、「RU orderパターンＩＤ［０］＝５」、「RU orderパターンＩＤ［１］＝７」、「RU orderパターンＩＤ［２］＝１」、「RU orderパターンＩＤ［３］＝６」が示されている。図１５において、具体例として、フレーム２００ｃを受信した受信装置５０において、ＳＴＡインデックスが「１」であり、ＭＡインデックスが「３」である場合が示されている。この場合、受信装置５０の管理部５４は、フレーム２００ｃの第１シグナルフィールド部内の「RU orderパターンＩＤ［０］〜［３］」のうちＭＡインデックス「３」に対応する「RU orderパターンＩＤ［３］＝６」を取得する。管理部５４は、ＲＵ−ｏｒｄｅｒパターンＩＤ管理テーブルＴＢＬ１０の「RU orderパターンＩＤ［３］＝６」におけるＳＴＡインデックス「１」に対応するＲＵ［０］を、自受信装置５０宛てのデータが格納されているＲＵであると認識する。
【００８２】
本フレーム構成例２−ｃによれば、各ＳＴＳセット［０］〜［３］における周波数分割多重に使用されるＲＵの受信装置５０への割り当ての仕方を可変にすることができる。
以上がフレーム構成例２−ｃの説明である。
【００８３】
［フレーム構成例２−ｄ］
図１６は、本実施形態のフレーム構成例２−ｄを示す説明図である。フレーム構成例２−ｄは、上述したフレーム構成例２−ｂの変形例である。図１６に示すフレーム２００ｄは、図１３に示すフレーム２００ｂと同様の構成である。但し、フレーム２００ｄの第２シグナルフィールド部は、「RU orderパターンＩＤ」をさらに含む。ＳＴＳセット［ｘ］の第２シグナルフィールド部内の「RU orderパターンＩＤ」は、ＳＴＳセット［ｘ］のペイロード部のＲＵ［０］〜［３］に関する「RU orderパターンＩＤ」である。送信装置１０と受信装置５０は、上述したフレーム構成例２−ｃと同様に、図１５に示されるＲＵ−ｏｒｄｅｒパターンＩＤ管理テーブルＴＢＬ１０を予め共有する。
以上がフレーム構成例２−ｄの説明である。
【００８４】
なお、上述したフレーム構成例２，２−ａ〜ｄにおいて、第１シグナルフィールド部に「RU BW配列」を含めてもよい。この場合、「RU BW配列」の要素である帯域幅情報「RU BW［ｘ］」に「帯域幅＝０」を示す情報を設定することにより、ＳＴＳセット［ｘ］に収容される受信装置５０に対して復号すべきデータがペイロード部に含まれないことを示してもよい。これにより、特定の受信装置５０宛てのデータがない場合には、該特定の受信装置５０に関する情報をＭＡ−ＳＧ管理テーブルＴＢＬ３に含める必要がなく、ＭＡ−ＳＧ管理テーブルＴＢＬ３のサイズを小さくすることができる。
【００８５】
上述した実施形態によれば、空間分割多元接続の技術と周波数分割多元接続の技術とを無線ＬＡＮシステム１に適用することができる。これにより、送信装置１０から同じタイミングでデータを送信できる宛先の受信装置５０を増やすことができる。これは、データ送信の待ち時間を短縮し、通信効率が向上する効果を奏する。
【００８６】
以上、本発明の実施形態について図面を参照して詳述してきたが、具体的な構成はこの実施形態に限られるものではなく、本発明の要旨を逸脱しない範囲の設計変更等も含まれる。
例えば、上述の実施形態では、直交周波数分割多重（ＯＦＤＭ）方式を適用したが、ＯＦＤＭ方式以外の周波数分割多重方式を適用してもよい。また、上述の実施形態では無線ＬＡＮシステムに適用したが、無線ＬＡＮシステム以外の無線通信システムに適用してもよい。
【００８７】
また、上述した送信装置１０又は受信装置５０の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００８８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８９】
１…無線ＬＡＮシステム、２…基地局装置、３，３ａ〜３ｋ…端末装置、１０…送信装置、１１…送信部、１２，５２…制御部、１３，５３…記憶部、２１…バッファ・スイッチ（ＢＵＦ・ＳＷ）部、２２−１〜４…ＳＴＳデータマッピング部、２３−１〜４…符号化変調部、２４…空間マッピング部、２５−１〜Ｎ…逆高速フーリエ変換（ＩＦＦＴ）部、２６−１〜Ｎ…ガードインターバル（ＧＩ）・ヘッダ付加部、２７−１〜Ｎ…無線周波数（ＲＦ）部、２８−１〜Ｎ…アンテナ、３０…情報生成部、５０…受信装置、５１…受信部、５４…管理部
【図１】
2017092541.tif 000003
【図２】
2017092541.tif 000004
【図３】
2017092541.tif 000005
【図４】
2017092541.tif 000006
【図５】
2017092541.tif 000007
【図６】
2017092541.tif 000008
【図７】
2017092541.tif 000009
【図８】
2017092541.tif 000010
【図９】
2017092541.tif 000011
【図１０】
2017092541.tif 000012
【図１１】
2017092541.tif 000013
【図１２】
2017092541.tif 000014
【図１３】
2017092541.tif 000015
【図１４】
2017092541.tif 000016
【図１５】
2017092541.tif 000017
【図１６】
2017092541.tif 000018